(57)【要約】【課題】コンパクトに折り畳むことができるとともに、収容空間の形状を安定させることができる仕切り体を提供する。【解決手段】箱２内を複数の収容空間３に区画するための仕切り体１である。仕切り体１は、第一仕切り板１０と、第一仕切り板１０の下縁部に連設され、第一仕切り板１０の左側面に重なる左側板１２と、左側板１２の上縁部に連設され、第一仕切り板１０の右側面に重なる右側板１４と、を備えている。また、仕切り体１は、左側板１２の前後の両縁部および右側板１４の前後の両縁部にそれぞれ連設された四つの第二仕切り板２１〜２４を備えている。そして、第一仕切り板１０は、左側板１２および右側板１４よりも前後方向に突出し、各第二仕切り板２１〜２４は、左右方向に延ばされている。【選択図】図１
2015168444.tif 000002
【特許請求の範囲】
【請求項１】
箱内を複数の収容空間に区画するための仕切り体であって、
第一仕切り板と、
前記第一仕切り板の下縁部に連設され、前記第一仕切り板の左側面に重なる左側板と、
前記左側板の上縁部に連設され、前記第一仕切り板の右側面に重なる右側板と、
前記左側板の前後の両縁部および前記右側板の前後の両縁部にそれぞれ連設された四つの第二仕切り板と、を備え、
前記第一仕切り板は、前記左側板および前記右側板よりも前後方向に突出し、
前記各第二仕切り板は、左右方向に延ばされていることを特徴とする仕切り体。
【請求項２】
前後一対の前記第二仕切り板に組み合わされる第三仕切り板を備え、
前記第二仕切り板に対して、前記第三仕切り板を上下方向に嵌め合わせることを特徴とする請求項１に記載の仕切り体。
【発明の詳細な説明】
【技術分野】
【０００１】
本発明は、箱内に複数の収容空間を区画するための仕切り体に関する。
【背景技術】
【０００２】
段ボール製の仕切り体としては、左右一対の第一仕切り板と、前後一対の第二仕切り板とを格子状に組み合わせたものがある。この仕切り体を箱内に収容することで、箱内に複数の収容空間を区画することができる。
【０００３】
前記した仕切り体としては、前後一対の第二仕切り板の中央部に上下方向の折線が形成されているものがある。そして、仕切り体を搬送や保管するときには、折線において壁面を折り曲げることで、仕切り体を折り畳むことができる（例えば、特許文献１参照）。
【先行技術文献】
【特許文献】
【０００４】
【特許文献１】特開平１１−１９８９５９号公報
【発明の概要】
【発明が解決しようとする課題】
【０００５】
前記したように、前後一対の第二仕切り板の中央部に折線を形成した場合には、仕切り体を箱内に収容したときに、中央の収容空間が変形し易くなるという問題がある。
【０００６】
本発明は、前記した問題を解決し、コンパクトに折り畳むことができるとともに、収容空間の形状を安定させることができる仕切り体を提供することを課題とする。
【課題を解決するための手段】
【０００７】
前記課題を解決するため、本発明は、箱内を複数の収容空間に区画するための仕切り体である。前記仕切り体は、第一仕切り板と、前記第一仕切り板の下縁部に連設され、前記第一仕切り板の左側面に重なる左側板と、前記左側板の上縁部に連設され、前記第一仕切り板の右側面に重なる右側板と、を備えている。また、前記仕切り体は、前記左側板の前後の両縁部および前記右側板の前後の両縁部にそれぞれ連設された四つの第二仕切り板を備えている。そして、前記第一仕切り板は、前記左側板および前記右側板よりも前後方向に突出し、前記各第二仕切り板は、左右方向に延ばされている。
【０００８】
この構成では、第一仕切り板と四つの第二仕切り板とが左側板および右側板を介して連結されているため、一枚のブランクシートから仕切り体を形成することができる。
また、各第二仕切り体を左側板および右側板に対して傾動させて、各第二仕切り板を第一仕切り板に重ねることで、仕切り体をコンパクトに折り畳むことができる。
また、収容空間を囲む壁面内に折線が形成されないため、収容空間の形状を安定させることができ、仕切り体の強度を高めることができる。
【０００９】
前記した仕切り体では、前後一対の前記第二仕切り板に組み合わされる第三仕切り板を設け、前記第二仕切り板に対して、前記第三仕切り板を上下方向に嵌め合わせることが望ましい。
【００１０】
この構成では、前後一対の第二仕切り板に第三仕切り板を組み合わせることで、箱内に区画する収容空間を増やすことができる。なお、第三仕切り板の数は限定されるものではない。
また、第二仕切り板に対して第三仕切り板が上下方向に嵌め合わされており、第三仕切り板に対して第二仕切り板が前後方向に傾動自在である。したがって、第二仕切り板と第三仕切り板とを嵌め合わせた状態のままで、これらを第一仕切り板に重ねることができ、仕切り体をコンパクトに折り畳むことができる。
【発明の効果】
【００１１】
本発明の仕切り体では、一枚のブランクシートから仕切り体を形成することができる。また、仕切り体をコンパクトに折り畳むことができるとともに、収容空間の形状を安定させることができ、仕切り体の強度を高めることができる。
【図面の簡単な説明】
【００１２】
【図１】本実施形態の仕切り体を示した斜視図である。
【図２】本実施形態の仕切り体のブランクシートを示した図である。
【図３】（ａ）は第一仕切り板に左側板を重ねた状態の斜視図、（ｂ）は第一仕切り板に右側板を重ねた状態の斜視図である。
【図４】左側板および右側板に対して第二仕切り板を折り曲げた状態の斜視図である。
【図５】各第二仕切り板に第三仕切り板を嵌め合わせる段階を示した斜視図である。
【図６】（ａ）は仕切り体を示した平面図、（ｂ）は仕切り体を折り畳む段階を示した平面図である。
【発明を実施するための形態】
【００１３】
本発明の実施形態について、適宜図面を参照しながら詳細に説明する。
本実施形態の仕切り体１は、図１に示すように、箱２内に複数の収容空間３を形成するものであり、格子状を呈している。
本実施形態の仕切り体１を直方体の箱２内に収容すると、箱２内に十二個の収容空間３が形成される。収容空間３は、直方体の空間であり、各収容空間３は略同じ大きさに形成される（図６（ａ）参照）。
【００１４】
仕切り体１は、第一仕切り板１０と、第一仕切り板１０に対して左右両方に延ばされた四つの第二仕切り板２１〜２４と、第一仕切り板１０の左右両側に並べられた第三仕切り板３０，３０と、をそれぞれ直交させて組み合わせたものである（図６（ａ）参照）。
【００１５】
第一仕切り板１０および各第二仕切り板２１〜２４は、図２に示すように、段ボール製のシートを切り抜いたブランクシートＳ１を各折線において谷折りまたは山折りすることで形成される。
また、第三仕切り板３０は、段ボール製のシートを切り抜いたブランクシートＳ２によって形成されている。
このように、仕切り体１（図１参照）は、一枚のブランクシートＳ１と、二枚のブランクシートＳ２，Ｓ２と、からなる三ピース構造である。
【００１６】
ブランクシートＳ１，Ｓ２の各折線（罫線）は、ブランクシートＳ１，Ｓ２の表面を押し込んで形成された線状の溝である。なお、折線に切り込みを形成してもよい。このようにすると、折線においてブランクシートＳを折り曲げ易くなる。
【００１７】
第一仕切り板１０は、図３（ａ）に示すように、長方形の壁体であり、上下方向よりも前後方向に大きく形成されている。第一仕切り板１０の上下方向の長さは、図１に示すように、箱２の内部空間の高さと同じかそれ以下である。また、第一仕切り板１０の前後方向の長さは、図６（ａ）に示すように、箱２の内部空間の前後方向の幅と同じである。
【００１８】
図３（ａ）に示すように、第一仕切り板１０の上縁部の中央部には、凹部１０ａが形成されている。凹部１０ａは、後記する上板１３が収容される空間である。凹部１０ａの前後方向の幅は、上板１３の前後方向の幅と同じであり、凹部１０ａの深さ（上下方向の長さ）は、上板１３の厚さと同じである。
【００１９】
第一仕切り板１０の下縁部の中央部には、図２に示すように、折線Ｌ１を介して帯状の下板１１が連設されている。下板１１は、第一仕切り板１０の下端面に重なる部位である。
下板１１の前後方向の長さは、第一仕切り板１０の前後方向の長さの略三分の一の長さである。
【００２０】
下板１１には、折線Ｌ２を介して左側板１２が連設されている。下板１１の左右両縁の折線Ｌ１および折線Ｌ２は平行している。
左側板１２は、図３（ａ）に示すように、第一仕切り板１０の左側面に重なる長方形の部位である。左側板１２の上下方向の長さは、第一仕切り板１０の下縁部から凹部１０ａの底部までの長さと同じである。
【００２１】
左側板１２の前縁部には、図６（ａ）に示すように、折線Ｌ３（図２参照）を介して、左前の第二仕切り板２１が連設されている。
左前の第二仕切り板２１は、左側板１２に対して左方に延ばされている。また、左前の第二仕切り板２１は、左側板１２に対して直角に形成されている。
左前の第二仕切り板２１の左右方向の長さは、左側板１２の左右方向の長さの略二倍であり、箱２の内部空間の左右方向の幅の半分である。
【００２２】
左前の第二仕切り板２１の左右方向の略中間部には、図５に示すように、スリット２５が形成されている。スリット２５は、第二仕切り板２１の上縁部から上下方向の略中間位置に亘って形成された細長い切り込みである。
このスリット２５は、第三仕切り板３０が差し込まれる部位であり（図１参照）、第三仕切り板３０の厚さと同じ幅に形成されている。また、スリット２５の上端部は、上縁部に向かうに従って漸次拡幅されている。
【００２３】
左側板１２の後縁部には、図６（ａ）に示すように、折線Ｌ４（図２参照）を介して、左後の第二仕切り板２２が連設されている。
左後の第二仕切り板２２は、左側板１２に対して左方に延ばされている。また、左後の第二仕切り板２２は、左側板１２に対して直角に形成されている。
左後の第二仕切り板２２は、左前の第二仕切り板２１と同じ形状である（図５参照）。このように、左側板１２の前後の両縁部には、前後一対の第二仕切り板２１，２２がそれぞれ連設されている。また、前後一対の第二仕切り板２１，２２は平行している。
【００２４】
左側板１２の上縁部には、図４に示すように、折線Ｌ５（図２参照）を介して、上板１３が連設されている。上板１３は、第一仕切り板１０の上端面に重なる部位であり、第一仕切り板１０の凹部１０ａ（図３（ａ）参照）に収容される。これにより、上板１３は第一仕切り板１０の上縁部よりも突出しない。
【００２５】
上板１３には、折線Ｌ６（図２参照）を介して右側板１４が連設されている。上板１３の左右両縁の折線Ｌ５および折線Ｌ６は平行している。
右側板１４は、図３（ｂ）に示すように、第一仕切り板１０の右側面に重なる長方形の部位である。右側板１４は、左側板１２と同じ形状に形成されている（図２参照）。
【００２６】
右側板１４の前縁部には、図４に示すように、折線Ｌ７（図２参照）を介して、右前の第二仕切り板２３が連設されている。また、右側板１４の後縁部には、折線Ｌ８（図２参照）を介して、右後の第二仕切り板２４が連設されている。このように、右側板１４の前後の両縁部には、前後一対の第二仕切り板２３，２４がそれぞれ連設されている。
【００２７】
図６（ａ）に示すように、右側の前後一対の第二仕切り板２３，２４と、左側の前後一対の第二仕切り板２１，２２とは、第一仕切り板１０を境界として左右対称な形状である。そして、左側の第二仕切り板２１，２２の左縁部から右側の第二仕切り板２３，２４の右縁部までの長さは、箱２の内部空間の左右方向の幅と同じである。
【００２８】
左右の第三仕切り板３０，３０は、図６（ａ）に示すように、第一仕切り板１０の左右両側で、各第二仕切り板２１〜２４に組み合わされる長方形の壁体である（図１参照）。
両第三仕切り板３０，３０は、第一仕切り板１０に平行している。第一仕切り板１０および二つの第三仕切り板３０，３０は左右方向に等間隔に並べられている。
第三仕切り板３０の上下方向および前後方向の長さは、第一仕切り板１０の上下方向および前後方向の長さと同じである（図２参照）。
【００２９】
第三仕切り板３０には、図５に示すように、前後二つのスリット３５，３５が形成されている。スリット３５は、第三仕切り板３０の下縁部から上下方向の略中間位置に亘って形成された細長い切れ込みである（図２参照）。
前後のスリット３５，３５の間隔は、前後一対の第二仕切り板２１，２２（２３，２４）の間隔と同じである。
スリット３５は、第二仕切り板２１〜２４が差し込まれる部位であり、第二仕切り板２１〜２４の厚さと同じ幅に形成されている。また、スリット３５の下端部は、下縁部に向かうに従って漸次拡幅されている。
【００３０】
図１に示すように、第三仕切り板３０と、前後一対の第二仕切り板２１，２２（２３，２４）とは、スリット２５，３５の位置において組み合わされている。
具体的には、左側の第三仕切り板３０の両スリット３５，３５には、左側の前後一対の第二仕切り板２１，２２の両スリット２５，２５の底部よりも下側の部位がそれぞれ差し込まれる。
また、左側の前後一対の第二仕切り板２１，２２の両スリット２５，２５には、左側の第三仕切り板３０の両スリット３５，３５の底部よりも上側の部位が差し込まれる。
【００３１】
同様に、右側の第三仕切り板３０の両スリット３５，３５には、右側の前後一対の第二仕切り板２３，２４の両スリット２５，２５の底部よりも下側の部位がそれぞれ差し込まれる。
また、右側の前後一対の第二仕切り板２３，２４の両スリット２５，２５には、右側の第三仕切り板３０の両スリット３５，３５の底部よりも上側の部位が差し込まれる。
【００３２】
前記したように、第三仕切り板３０と、前後一対の第二仕切り板２１，２２（２３，２４）とを上下方向に嵌め合わせた場合には、図６（ｂ）に示すように、第三仕切り板３０に対して、前後の第二仕切り板２１，２２（２３，２４）が前後方向に傾動自在である。
これにより、前後の第二仕切り板２１，２２（２３，２４）を例えば後方に傾動させると、第三仕切り板３０は、第一仕切り板１０側に向けて斜め後方に移動する。
【００３３】
次に、仕切り体１を組み立てる手順について説明する。
まず、図２に示すブランクシートＳ１の状態から、折線Ｌ１において、第一仕切り板１０に対して下板１１を折り曲げるとともに、折線Ｌ２において、下板１１に対して左側板１２を折り曲げる。これにより、図３（ａ）に示すように、第一仕切り板１０の左側面に左側板１２が重なる。
【００３４】
また、図３（ｂ）に示すように、折線Ｌ５において、左側板１２に対して上板１３を折り曲げるとともに、折線Ｌ６において、上板１３に対して右側板１４を折り曲げる。これにより、第一仕切り板１０の右側面に右側板１４が重なる。
【００３５】
続いて、図６（ａ）に示すように、折線Ｌ３（図２参照）および折線Ｌ４（図２参照）において、左側板１２に対して、左前の第二仕切り板２１および左後の第二仕切り板２２を折り曲げて、第二仕切り板２１，２２を第一仕切り板１０に対して直交させる（図４参照）。
また、折線Ｌ７（図２参照）および折線Ｌ８（図２参照）において、右側板１４に対して、右前の第二仕切り板２３および右後の第二仕切り板２４を折り曲げて、第二仕切り板２３，２４を第一仕切り板１０に対して直交させる（図４参照）。
【００３６】
さらに、図５に示すように、左側の第三仕切り板３０を左側の前後一対の第二仕切り板２１，２２に嵌め合わせるとともに、右側の第三仕切り板３０を右側の前後一対の第二仕切り板２３，２４に嵌め合わせる。
【００３７】
これにより、図１に示すように、格子状の仕切り体１が形成される。仕切り体１では、図６（ａ）に示すように、左右方向に第一仕切り板１０および二つの第三仕切り板３０，３０が三列に等間隔に並べられ、前後方向に各第二仕切り板２１〜２４が二列に並べられている。
【００３８】
そして、仕切り体１を箱２内に収容すると、箱２内は十二個の収容空間３に区画される。各収容空間３は直方体の空間であり、各収容空間３の前後左右方向および上下方向の長さは略同じ大きさに形成される。
【００３９】
次に、仕切り体１を搬送や保管するときには、図６（ｂ）に示すように、前後の第二仕切り板２１，２２（２３，２４）を左側板１２および右側板１４に対して後方に傾動させる。これにより、各第二仕切り板２１〜２４と両第三仕切り板３０，３０とを嵌め合わせた状態のままで、各第二仕切り板２１〜２４および両第三仕切り板３０，３０を第一仕切り板１０の左右両側に重ねることができ、仕切り体１を折り畳むことができる。
【００４０】
以上のような仕切り体１では、図２に示すように、第一仕切り板１０と四つの第二仕切り板２１〜２４とが左側板１２および右側板１４を介して連結されている。したがって、ブランクシートＳ１と二枚のブランクシートＳ２，Ｓ２との三ピースによって、仕切り体１を形成することができる。このように、仕切り体１は、部品点数が少なく、組立作業が簡単である。
【００４１】
また、仕切り体１では、図６（ｂ）に示すように、各第二仕切り板２１〜２４を左側板１２および右側板１４に対して後方に傾動させることで、各第二仕切り板２１〜２４および両第三仕切り板３０，３０を第一仕切り板１０に重ねることができる。このように、仕切り体１をコンパクトに折り畳むことができるため、仕切り体１を搬送や保管するために必要なスペースを小さくすることができる。
なお、本実施形態では、各第二仕切り板２１〜２４を後方に傾動させているが、各第二仕切り板２１〜２４を前方に傾動させてもよい。
【００４２】
また、仕切り体１では、収容空間３を囲む壁面内に折線が形成されないため、収容空間３の形状を安定させることができ、仕切り体１の強度を高めることができる。
【００４３】
以上、本発明の実施形態について説明したが、本発明は前記実施形態に限定されることなく、その趣旨を逸脱しない範囲で適宜に変更が可能である。
本実施形態の仕切り体１では、図１に示すように、第一仕切り板１０の左右両側に第三仕切り板３０，３０が設けられているが、第三仕切り板３０の数は限定されるものではない。そして、第三仕切り板３０の数を増やすことで、箱２内に区画する収容空間３を増やすことができる。
また、第一仕切り板１０の左右のいずれか一方のみに第三仕切り板３０を設けてもよい。さらに、第三仕切り板３０を設けなくてもよく、この場合には、箱２内に六つの収容空間が形成される。
【００４４】
本実施形態の仕切り体１では、図５に示すように、第二仕切り板２１〜２４の上部にスリット２５が形成され、第三仕切り板３０の下部にスリット３５が形成されている。しかしながら、第二仕切り板２１〜２４の下部にスリット２５を形成し、第三仕切り板３０の上部にスリット３５を形成してもよい。この場合には、各第二仕切り板２１〜２４の下方から第三仕切り板３０を嵌め合わせることになる。
【００４５】
本実施形態の仕切り体１は段ボール製であるが、各種公知の板紙によって仕切り体１を形成してもよい。
【符号の説明】
【００４６】
１      仕切り体
２      箱
３      収容空間
１０    第一仕切り板
１０ａ  凹溝
１１    下板
１２    左側板
１３    上板
１４    右側板
２１〜２４    第二仕切り板
２５    スリット
３０    第三仕切り板
３５    スリット
Ｓ１    ブランクシート
Ｓ２    ブランクシート
【図１】
2015168444.tif 000003
【図２】
2015168444.tif 000004
【図３】
2015168444.tif 000005
【図４】
2015168444.tif 000006
【図５】
2015168444.tif 000007
【図６】
2015168444.tif 000008